(57)【要約】【課題】生産性が高く、印刷回路基板に表面実装することのできるディスク型ブラシレスモータ用板状固定子を提供する。【解決手段】ディスク型ブラシレスモータは、永久磁石をヨークに配置した第一と第二の回転子と、それら回転子を結合している回転軸と、それらの回転子の間に設けられており、界磁コイルを有する板状固定子とを備えている。板状固定子はセラミック層を積層して形成した積層体からなり、その積層体は積層体内に形成された界磁コイルと、積層体の一主面上に形成された入力／出力端子と、積層体中央部に設けた、前記回転軸を支持する軸受けとを持つ。印刷回路基板に開けられた開口部に一方の回転子を配置し、積層体に形成した入力／出力端子を印刷回路基板の回路パターンに対向して接続して、ディスク型ブラシレスモータを印刷回路基板に表面実装することができる。【選択図】　　図２
2004147470.tif 000002
【特許請求の範囲】
【請求項１】
永久磁石をヨークに配置した第一及び第二の回転子と、前記第一の回転子と第二の回転子を結合する回転軸と、前記第一の回転子と第二の回転子との間に所定の空隙を介して設けられ前記第一及び第二の回転子に電磁力を与える界磁コイルを有する板状固定子とを備えたディスク型ブラシレスモータであって、回路パターンが形成された印刷回路基板に搭載されるものに用いられる板状固定子において、
前記板状固定子はセラミック層を積層して形成した積層体で構成されており、その積層体は積層体内に導体パターンで形成された界磁コイルと、積層体の一主面上に形成され前記界磁コイルと電気的に接続する入力端子及び出力端子と、積層体の中央部に開けられた開孔に前記回転軸を支持する軸受とを有し、
前記印刷回路基板に設けられた開口部に、前記第一又は第二の回転子のどちらか一方を配置し、前記印刷回路基板と対向して積層体の主面に形成された前記入力端子及び前記出力端子を前記印刷回路基板の前記開口部の周辺に設けられた回路パターンに接続して表面実装されることを特徴とするディスク型ブラシレスモータ用板状固定子。
【請求項２】
前記第一の回転子及び前記第二の回転子と前記固定子との間隙が０．２ｍｍ以下であることを特徴とする請求項１に記載のディスク型ブラシレスモータ用板状固定子。
【請求項３】
前記積層体からなる板状固定子の厚さが１ｍｍ以下であることを特徴とする請求項１又は２に記載のディスク型ブラシレスモータ用板状固定子。
【発明の詳細な説明】
【０００１】
【発明の属する技術分野】
本発明は印刷回路基板に面実装するのに適した小型モータ用の固定子に関するものであり、特にディスク型ブラシレスモータ用板状固定子に関する。
【０００２】
【従来の技術】
小型電子機器に用いるモータの固定子としては、セラミックグリーンシート上に界磁コイルとなるコイルパターンを印刷形成したものを積層して一体焼結した固定子がある。この固定子は、セラミック粉末から得られたグリーンシート上に例えばスクリーン印刷技術などによりコイル導体パターンを形成してコイルシートとし、これを複数枚積層し、スルーホールによりコイル導体パターン間を導通させ、さらにコイル導体パターンとグリーンシートとを一体として焼成して作製した２相８極の積層コイルを用いているものである（たとえば特許文献１）。
【０００３】
【特許文献１】
特開昭６４−５９９０２号
【０００４】
【発明が解決しようとする課題】
このような従来の積層コイルを固定子として用いた小型モータには以下の問題があった。この積層コイルでは外部端子電極が形成されたグリーンシート基板に複数のコイルシートを積層しているが、コイル部分の厚みと外部端子電極が形成された矩形部分の厚みが異なるとともに、コイル部分が円形状に形成され、このコイル部から延出する矩形領域に外部端子電極が形成される構成であって、その積層コイルの形状は生産性に乏しいものであった。また外部端子電極部分の機械的強度を得る為、コイルパターンが形成されていないグリーンシート基板を厚くすることが必要となり、その結果積層コイルの厚みが増加する。また前記外部端子電極部分が積層コイルの面積を大きくし、その結果モータの外形寸法が大きくなるといった問題があった。またその生産性は著しく劣るものである。
【０００５】
さらには、このような小型モータを例えば駆動電流を各相の界磁コイルに順次印加する電気信号制御部が形成された印刷回路基板に実装するには、前記外部端子電極と印刷回路基板に形成された給電端子等とリードとをハンダ付けして接続したり、コネクタを用いて接続したりする必要があり製作が容易では無かった。
【０００６】
そこで本発明は、固定子の生産性を向上させ、さらには印刷回路基板に表面実装することが可能なディスク型ブラシレスモータ用板状固定子を提供することを目的とする。
【０００７】
【課題を解決するための手段】
本発明は、永久磁石をヨークに配置した第一及び第二の回転子と、前記第一の回転子と第二の回転子とを結合する回転軸と、前記第一の回転子と第二の回転子との間に所定の空隙を介して設けられ前記第一及び第二の回転子に電磁力を与える界磁コイルを有する板状固定子とを備えたディスク型ブラシレスモータであって、回路パターンが形成された印刷回路基板に搭載されるものに用いられる板状固定子である。その板状固定子はセラミック層を積層して形成した積層体で構成されており、積層体は積層体内に導体パターンで形成された界磁コイルと、積層体の一主面上に形成され前記界磁コイルと電気的に接続する入力端子及び出力端子と、積層体の中央部に開けられた開孔に設けた前記回転軸を支持する軸受けとを有している。印刷回路基板に設けられた開口部に、第一又は第二の回転子のどちらか一方を配置し、印刷回路基板と対向して積層体の主面に形成された入力端子及び出力端子を印刷回路基板の開口部の周辺に設けられた回路パターンに接続して、板状固定子を表面実装するものである。
【０００８】
前記板状固定子の略中央部には、ブラシレスモータの回転軸を支持する軸受を配置する開孔を有している。この開孔の中心は回転子の軸の中心とほぼ一致する。前記界磁コイルをモータ回転軸の周りに環状に配置し、さらに異なる相の界磁コイルをモータ回転軸の周りに等角度間隔で、かつ同相のコイル極がモータ回転軸の回転中心に関して１８０°で回転対称な位置に配置するのが好ましい。実質的に同じ巻き数の界磁コイルをモータ回転軸の周りに等角度間隔で配置すると、各界磁コイルの逆起電力がモータの回転軸に対して軸対称に発生するので、モータの回転精度を向上させることが出来る。
【０００９】
前記板状固定子の一主面上に形成された入力端子及び出力端子は、前記印刷回路基板と対向する主面に形成されているので、印刷回路基板の開口部に前記第一又は第二の回転子のどちらか一方を配置して前記板状固定子を前記印刷回路基板に容易に表面実装することが出来、もってディスク型ブラシレスモータを小型化することが出来る。またこのような構成とすることで、第一の回転子及び第二の回転子と板状固定子との間隔をほぼ等しく出来るとともに、その間隔を印刷回路基板の厚みよりも十分に薄い０．２ｍｍ以下とすることが出来るので、ブラシレスモータの低背化が可能となるとともに、磁束漏れが少なくトルクを向上させることも出来る。
【００１０】
前記板状固定子はセラミック層を積層してなる積層体に導体パターンで界磁コイルと入力端子及び出力端子を形成して構成され、その厚さは低背化の観点から１ｍｍ以下とするのが好ましい。このように導体パターンで界磁コイルを構成すれば、コイルの巻き回し方法、巻き数、板状固定子における界磁コイルの配置など適宜設定でき選択の自由度が高い。そして板状固定子を矩形状とし、その同一主面の異なる四隅に入力端子又は出力端子を形成すれば実質的に板状固定子を大型化することが無いととともに、モータ性能を劣化させる事もなく好ましい。さらには、入出力端子を比較的大きく形成出来るので印刷回路基板との端子接続強度を向上させることも出来、界磁コイルが形成されない板状固定子のスペースを有効に利用することが出来る。なお、板状固定子は支点間距離７ｍｍで３点曲げ試験を行った場合に１０Ｎ以上の破壊強度を有するのが好ましい。
【００１１】
【発明の実施の形態】
以下図面を参照しながら本発明のディスク型ブラシレスモータ用板状固定子について詳しく説明する。図１と図２は本発明の一実施例に係る板状固定子を用いて構成したディスク型ブラシレスモータ全体を示すもので、図１は平面図、図２はディスク型ブラシレスモータを印刷回路基板上に取り付けた状態を示す断面図である。
【００１２】
ディスク型ブラシレスモータ１００は複数の界磁コイルを内部に持つ板状固定子１０と、
永久磁石９１ａをヨーク８５ａに配置した第一の回転子９０ａと、前記永久磁石の対向位置に配置される永久磁石９１ｂを他のヨーク８５ｂに配置した第二の回転子９０ｂと、第一の回転子９０ａと第二の回転子９０ｂを結合する回転軸９５と、前記第一の回転子と第二の回転子との間に所定の空隙を介して設けられ前記第一及び第二の回転子に電磁力を与える界磁コイルを備えた板状固定子１０と、前記板状固定子の一主面上に形成された入力・出力端子と、前記板状固定子１０に固定され前記回転軸を支持する軸受８０とを備えるものである。
【００１３】
印刷回路基板２００には、回転子の外形寸法よりも大なる開口部を有し、その開口部に一方の回転子を配置し、板状固定子１０が印刷回路基板２００の開口部を塞ぐように印刷回路基板２００上にハンダ（例えばボールハンダ）などで表面実装する。印刷回路基板２００に形成された電力供給線（図示せず）と板状固定子１０の下面に設けられている接続端子（入力端子・出力端子）との間は、例えばＳｎ−Ａｇ−Ｃｕ系のＰｂフリーハンダなどの比較的低温でハンダ付け可能なハンダ１５で板状固定子１０を印刷回路基板２００上に取り付けるのが好ましい。
【００１４】
板状固定子１０は、第一及び第二の回転子の回転中心に対応した位置に開孔１９が開けられており、その開孔１９に軸受８０が取り付けられて、回転軸９５が軸受８０によって回転自在に板状固定子１０に保持されている。
【００１５】
ここで用いる永久磁石９１ａ、９１ｂとしては、Ｎｄ−Ｆｅ−Ｂ焼結磁石、Ｓｍ−Ｃｏ焼結磁石等の希土類焼結磁石、Ｎｄ−Ｆｅ−Ｂ、Ｓｍ−Ｆｅ−Ｎ、Ｓｍ−Ｃｏ等の希土類ボンド磁石あるいはフェライト焼結磁石等の保磁力の高い永久磁石材料を使用する。好ましくは固有保磁力Ｈｉｊが残留磁束密度Ｂｒより高い永久磁石材料を使用することで磁石厚さを薄くできる。永久磁石９１ａ、９１ｂの形状としてはリング状あるいは、リングを分割した扇形のものを用いることができる。永久磁石９１ａ、９１ｂは、モータ回転中心に関してＮ極とＳ極が回転対称に形成されていることが望ましく、また永久磁石の磁極が板状固定子の界磁コイルと対向するように付けられているのがよい。
【００１６】
本発明の一実施例に係る板状固定子１０はその外観斜視図を図３に示しているように、ほぼ正方形をした矩形平板であり、その厚さは数百μｍである。その一方主面の４個の隅部に接続端子２２，２３，２４，２５がそれぞれ設けられている。板状固定子１０は前記接続端子を設けた側の主面が印刷回路基板２００の面と対向するようにして印刷回路基板２００上に取り付けられ、同時に接続端子は印刷回路基板に形成された電力供給線の回路パターン（図示せず）にハンダ接続されて、ディスク型ブラシレスモータ１００の界磁コイルに電力が供給される。４個の接続端子は板状固定子１０の主面上でその中央にある開孔１９に関して回転対称の位置に設けられていることが好ましい。この実施例にあるように、板状固定子の片側主面の角部に接続端子を設けると印刷回路基板に容易に表面実装可能となり、かつ安定して実装することができ、ディスク型ブラシレスモータを十分な固着強度をもって印刷回路基板２００上に取り付けることができる。
【００１７】
また、印刷回路基板の開口部に前記第一又は第二の回転子のどちらか一方を配置して前記板状固定子を前記印刷回路基板に容易に表面実装することが出来、もってディスク型ブラシレスモータを小型化することが出来る。そして第一の回転子及び第二の回転子と板状固定子との間隔をほぼ等しく出来るとともに、その間隔を印刷回路基板の厚みよりも十分に小さい０．１ｍｍ以下とすることが出来るので、ブラシレスモータの低背化が可能となるとともに、磁束漏れを少なくすることが出来るので、トルクを向上させることが出来る。
【００１８】
次に板状固定子１０の製造方法の一例を図７及び図８を用いて説明する。
この板状固定子１０は、低温焼成が可能なセラミック材料（ＬＴＣＣ材料）からなる厚さ２０μｍ〜２００μｍのグリーンシート上にＡｇやＣｕなどを主体とする導電ペーストを印刷して所望の導体パターンを形成し、導体パターンを有するグリーンシートを適宜積層し焼成することにより、積層体として構成される板状固定子１０に複数の界磁コイルを形成したものである。界磁コイルを形成する導体パターンの幅は、ほぼ１００μｍ〜４００μｍである。
【００１９】
まずドクターブレード法などの公知のシート成形方法により、セラミックス粉末、バインダ、及び可塑剤よりなるセラミックスラリーを、ポリエチレンテレフタレートフィルムからなるキャリアフィルム上に均一な厚さで塗布し、数十μｍから数百μｍのグリーンシートを形成する。そして乾燥後のグリーンシートを、キャリアシートが付いたまま所定の寸法に裁断する。セラミックス粉末としては、例えばＡｌ２Ｏ３を主成分としＳｉＯ２、ＳｒＯ、ＣａＯ、ＰｂＯ、Ｎａ２Ｏ及びＫ２Ｏの少なくとも１種を副成分とする低温焼結可能な誘電体材料であり、また他の例では、Ａｌ２Ｏ３を主成分としＭｇＯ、ＳｉＯ２及びＧｄＯの少なくとも１種を副成分として含む低温焼結可能な誘電体材料である。また他の例では、Ｂｉ２Ｏ３、Ｙ２Ｏ３、ＣａＣＯ３、Ｆｅ２Ｏ３、Ｉｎ２Ｏ３及びＶ２Ｏ５の少なくとも１種を含む低温焼結可能な磁性セラミック材料であって、セラミックス成分を工夫して低温焼結化させている。
【００２０】
本実施例においては、主成分がＡｌ，Ｓｉ，Ｓｒ，Ｔｉの酸化物で構成され、Ａｌ，Ｓｉ，Ｓｒ，ＴｉをそれぞれＡｌ２Ｏ３、ＳｉＯ２、ＳｒＯ、ＴｉＯ２に換算し合計１００質量％としたとき、Ａｌ２Ｏ３換算で１０〜６０質量％、ＳｉＯ２換算で２５〜６０質量％、ＳｒＯ換算で７．５〜５０質量％、ＴｉＯ２換算で２０質量％以下のＡｌ，Ｓｉ，Ｓｒ，Ｔｉを含有し、前記合計１００質量％に対し副成分として、Ｂｉ２Ｏ３換算で０．１〜１０質量％のＢｉを含有する誘電体セラミックスを用いた。この誘電体セラミックスの基本特性は、誘電率が７〜９で、ＪＩＳ　Ｒ　１６０１で規定される曲げ強さ試験方法の３点曲げ（試料形状　長さ３６ｍｍ、幅４ｍｍ、厚さ３ｍｍ、支点間距離３０ｍｍ）による抗折強度が２４０ＭＰａ以上であり、ヤング率が１１０ＧＰａ以上であり、ＬＴＣＣ材料としては高い抗折強度とヤング率を備えるものである。
【００２１】
このようなグリーンシートにコイル（図示せず）や入出力端子等を形成する導体パターンを形成し、さらに所定の順序に積層・圧着し、厚さがほぼ０．４ｍｍの平板状積層体３００とした。前記グリーンシートにはスルーホール（図示せず）が形成されており、シート間の導体パターンが適宜接続され、界磁コイルとして機能するように構成される。
【００２２】
その後、前記積層体のモータ回転軸の回転中心となる部分を金型により打ち抜き、あるいはレーザ加工処理を行いφ２ｍｍの開孔１９を形成した。
【００２３】
そして、平板状積層体の主面に互いに平行な複数の分割溝３２０ａとこの分割溝と直交する複数の分割溝３２０ｂを、それぞれほぼ０．１ｍｍの深さとなるように鋼刃で刻設した。前記分割溝の深さは、分割のし易さや、取り扱い易さ等から、５０μｍ〜３００μｍの範囲で適宜設定される。その後、平板状成形体を脱脂・焼結して６５ｍｍ×６０ｍｍ×０．３ｍｍの積層基板とした。前記積層基板の外表面には入出力端子等の接続端子が形成されており、これに無電解メッキによりＮｉメッキ、Ａｕメッキを施した。メッキ処理の後分割溝に沿って分割して、外形寸法が８ｍｍ×８ｍｍ×０．３ｍｍの図３に示す矩形状の板状固定子１０とした。
【００２４】
次に図５を参照して板状固定子１０の内部構造を積層順に説明する。この板状固定子１０は３相駆動電源を用いるブラシレスモータ用の板状固定子であり、図４に示す等価回路を有するものである。
【００２５】
板状固定子１０の内部に設けられている界磁コイルは図５に示すように、セラミック層の一層あたり６個の界磁コイルが形成されており、２個の界磁コイルを直列接続して３組の界磁コイルを構成している。これら３組の界磁コイルのそれぞれの各一端が４個の接続端子のうち３個の接続端子（出力端子）２２，２３，２４それぞれに接続されており、これら３組の界磁コイルの他一端は共通となって接続端子（入力端子）２５に接続されているのが望ましい。
【００２６】
界磁コイルの巻き回形状は扇形が良く、それぞれモータ回転中心からの開角度がここでは６０°未満で４０°以上、好ましくは約５０°である。界磁コイル幅は対向する回転子に用いられている永久磁石の幅との関係で適当な値とするが、永久磁石の磁極数を６極としたときに、各磁極を完全に各界磁コイルでカバーできて、隣の磁極まで同時には覆わない大きさとしている。
【００２７】
またセラミック層に形成されたコイル一つあたりの巻き数は２〜４回が適当である。駆動トルクを上げるためには巻き数を多くするのがよいが、巻き数を多くすると抵抗が大きくなってコイルを流れる電流が減少するので２〜４回としている。
【００２８】
板状固定子１０は、複数の接続端子を一面に設けたセラミック層２０と、複数の界磁コイルを形成するコイルパターンが形成された複数のコイルシート積層品３０と、同相どうしの界磁コイルを接続する第一の導体パターン７２，７３，７４を備える。界磁コイルが形成されるコイルシート積層品３０には、形成されるコイルパターンにより２種類のものがあり、ここでは便宜上セラミック層４０，４０′とセラミック層５０、５０′と呼ぶ。
【００２９】
図５において図面上から奇数番目のセラミック層４０，４０′に形成されたコイルパターン４２，４２′は外周から左回りに内側に向かって渦を巻いており、上から偶数番目のセラミック層５０，５０′に付けられたコイルパターン５２，５２′は外周から右回りに内側に向かって渦を巻いている。前記コイルパターンは銀ペーストを主体とする複数の扇形コイルパターン４２、５２〜４２′、５２′を開孔１９に関して回転対称に印刷して形成したものである。
【００３０】
各セラミック層に形成されたコイルパターンに図５の左端にあるものから時計廻りに順にａ，ｂ，ｃ，ｄ，ｅ，ｆと符号を付ける。セラミック層４０に形成されたコイルパターンは４２ａ、４２ｂ、４２ｃ、……４２ｆと呼び、その下にあるセラミック層５０のコイルパターンは５２ａ、５２ｂ、……５２ｆと呼ぶ。セラミック層４０ではコイルパターン４２ａ、４２ｃ、４２ｅのコイル内側端のところにスルーホールがそのセラミック層の厚さ方向に開けられていて、各コイルパターンはそのスルーホールを介してシートの他面まで導体を通している。またコイルパターン４２ｂ、４２ｄ、４２ｆのコイル外側端のところにスルーホールがそのセラミック層の厚さ方向に開けられていて、各コイルパターン外側端からそのスルーホールを介して各シートの他面まで導体を通している。以下奇数番目のセラミック層にはセラミック層４０と同様にスルーホールと導体が形成されている。偶数番目のセラミック層５０ではコイルパターン５２ａ、５２ｃ、５２ｅのコイル外側端のところにスルーホールがそのセラミック層の厚さ方向に開けられていて、各コイルパターン外側端からそのスルーホールを介してシートの他面まで導体を通している。またコイルパターン５２ｂ、５２ｄ、５２ｆのコイル内側端のところにスルーホールがそのセラミック層の厚さ方向に開けられていて、各コイルパターン内側端からそのスルーホールを介してシートの他面まで導体を通している。以下偶数番目のセラミック層はセラミック層５０と同様にスルーホールと導体が形成されている。
【００３１】
このようにコイルパターン、スルーホール及び導体を形成したセラミック層４０〜５０′が、図５にあるように積み重ねられると、コイルパターン４２ａ、５２ａ、……４２′ａ、５２′ａが重なり、コイルパターン４２ｂ、５２ｂ、……４２′ｂ、５２′ｂが重なり、以下同様に各セラミック層の対応する位置にあるコイルパターンが重なることになる。そして、コイルパターン４２ａの内側端がコイルパターン５２ａの内側端に、コイルパターン４２ａの内側端のところにセラミック層４０を通して設けたスルーホールの導体によって接続される。コイルパターン５２ａの外側端がその下にあるコイルパターンの外側端に、コイルパターン５２ａの外側端のところでセラミック層５０を通して設けたスルーホールの導体によって、接続される。以下同様に上下にあるセラミック層のコイルパターン同士が接続されて界磁コイルとなる。同時に、他の５個のコイルパターンについても、図５の二点鎖線で示したように接続され同様に界磁コイルを形成する。
【００３２】
最下層のセラミック層５０′の裏面には、図６に斜視図で示す第一の導体パターン７２，７３，７４が印刷又は転写等の手段により形成されている。図６は板状固定子を底面側から見た斜視図である。第一の導体パターン７２，７３，７４はセラミック層５０′の上面にあるコイルパターン間を接続する。すなわち、第一の導体パターン７２は、セラミック層５０′のコイルパターン５２′ｆの内側端からそこに開けられたスルーホールを通ってその裏面まで行っている導体と、コイルパターン５２′ｃの外側端からそこに開けられたスルーホールを通ってその裏面まで行っている導体とを接続する。また、第一の導体パターン７３は、コイルパターン５２′ｅの外側端とコイルパターン５２′ｂの内側端とを接続し、第一の導体パターン７４は、コイルパターン５２′ｄの内側端とコイルパターン５２′ａの外側端とを接続している。
【００３３】
このようにしてコイルパターン４２ａ、５２ａ、……、４２′ａ、５２′ａが接続されたコイルと、コイルパターン４２ｄ、５２ｄ、……、４２′ｄ、５２′ｄが接続されたコイルとが第一の導体パターン７４によって直列に接続される。すなわち２個の界磁コイルによって１組の界磁コイルが作られる。他の第一の導体パターン７３，７４についても同様である。
【００３４】
第一の導体パターン７２，７３，７４は、モータ回転中心に対して１８０°離れている２組の界磁コイルを接続しているので、各第一の導体パターンは開孔１９の周りに円弧状に１８０°以上に延びている。図６から明らかなように各第一の導体パターンは半径の違った２個の円周に沿って延びた２段となっている。そして第一の導体パターンは互いに角度方向に少なくとも部分的に重複して設けられている。
【００３５】
上に述べた実施例では、板状固定子の一方の主面に接続端子を形成し、他の主面に複数の第一の導体パターンを形成したが、当然に前記第一の導体パターンを界磁コイルのようにセラミック層に形成して、界磁コイルとともに板状固定子に内包するように構成することも出来る。
【００３６】
板状固定子１０の一主面上に形成された接続端子２２，２３，２４それぞれは延長部を持っており、その先端が、セラミック層４０に印刷形成されたコイルパターン４２ａ、４２ｃ、４２ｅの外側端に対応した位置まで延びている。また接続端子２５と接続する中央の第二の導体パターン２６は半径方向に延びた部分を持っていて、その先端それぞれが、セラミック層４０に形成されたコイルパターン４２ｂ、４２ｄ、４２ｆの内側端に対応した位置まで延びている（二点鎖線参照）。
【００３７】
セラミック層２０には接続端子２２，２３，２４のそれぞれから延びている延長部先端及び第二の導体パターン２６から半径方向に延びた導体パターンのそれぞれの先端のところにスルーホールが開けられていて、各スルーホールに通された導体によって、接続端子２２，２３，２４がセラミック層２０を介してコイルパターン４２ａ、４２ｃ、４２ｅの外側端と接続され、第二の導体パターン２６がセラミック層２０を介して接続端子２５と接続される。その結果界磁コイルは図４に等価回路として示すように結線される。
【００３８】
図３に示す板状固定子の上面には接続端子２２，２３，２４，２５の表面を除いて全面に絶縁層を被覆してある。また、板状固定子の第一の導体パターン７２，７３，７４が設けられている裏面にも同様に絶縁層を被覆しておくことが好ましい。
【００３９】
界磁コイルを構成しているコイルパターンは開孔に関して回転対称となった６個のパターンなので、それらのコイルパターンは角度方向に非連続となっている。角度方向にコイルパターンのある部分とコイルパターンのないセラミックだけの部分とが交互に存在しているので、焼結して板状固定子としたときに、それらの部分の収縮比率に違いが生じたり、また焼結した板状固定子のコイルパターンのある部分とない部分とでは強度が部分的に異なる場合がある。そのために、コイルパターンがない部分で板状固定子に割れが生じたり、又は全体として反りが生じることもある。ところが本発明では高い抗折強度とヤング率を有するセラミック材料を用いるとともに、板状固定子の一方の開孔１９の周りを囲んでいる第二の導体パターン２６、接続端子２２，２３，２４、２５を有し、更にもう一方の主面には円弧状に１８０°以上に延びた第一の導体パターン７２，７３，７４を互いに角度方向に部分的に重複して設けている。このように板状固定子の両主面に、第一と第二の導体パターン、接続端子を設けることによって、板状固定子の強度を上げることができる。また、反りを防ぎ、本実施例においては厚さ３００μｍで８ｍｍ×８ｍｍ角の板状固定子を製作したところ、その面全体での反りを１００μｍ以下とすることができた。
【００４０】
【発明の効果】
以上詳しく説明したように、本発明のディスク型ブラシレスモータ用板状固定子では、複数の板状固定子を持った平板状積層体を作り、それを分割して個々の板状固定子としているので、板状固定子の生産性が向上出来た。また板状固定子の一主面上に接続端子を形成しているので印刷回路基板に表面実装することが可能となり、もって小型・薄型のディスク型ブラシレスモータに用いることができる。
【図面の簡単な説明】
【図１】本発明の一実施例に係る板状固定子を用いた永久磁石モータの平面図である。
【図２】本発明の一実施例に係る板状固定子を用いた永久磁石モータをプリント回路基板状に取り付けた状態を示す断面図である。
【図３】本発明の一実施例に係る板状固定子の外観斜視図である。
【図４】本発明の一実施例に係る板状固定子に構成される界磁コイルの結線を示す結線図である。
【図５】本発明の一実施例に係る板状固定子の分解斜視図である。
【図６】本発明の一実施例に係る板状固定子の裏面にある第一の導体パターンの斜視図である。
【図７】本発明の一実施例に用いる板状固定子の製造方法の一例を示す積層基板の分解斜視図である。
【図８】本発明の一実施例に用いる板状固定子が複数形成された積層基板の平面図である。
【符号の説明】
１０　　　　　　　　　　　　板状固定子
１５　　　　　　　　　　　　ハンダ
１９　　　　　　　　　　　　開孔
３０　　　　　　　　　　　　コイルシート積層品
２０，４０，５０，４０′，５０′　　　　　　　　セラミック層
２２，２３，２４，２５　　　　　　　　　　接続端子
２６　　　　　　　　　　　　第二の導体パターン
４２，５２，４２′，５２′　　　　　　コイルパターン
７２，７３，７４　　　　　　　　　　　　　　　　　　　　　　　　第一の導体パターン
８０　　　　　　　　　　　　軸受
８５ａ、８５ｂ　ヨーク
９０ａ　　　　　　　　　　第一の回転子
９０ｂ　　　　　　　　　　第二の回転子
９１ａ，９１ｂ　　　　　　　　　　永久磁石
９５　　　　　　　　　　　　回転軸
１００　　　　　　　　　　ディスク型ブラシレスモータ
２００　　　　　　　　　　印刷回路基板
３００　　　　　　　　　　平板状積層体
３２０ａ，３２０ｂ　　　　　　分割溝
【図１】
2004147470.tif 000003
【図２】
2004147470.tif 000004
【図３】
2004147470.tif 000005
【図４】
2004147470.tif 000006
【図５】
2004147470.tif 000007
【図６】
2004147470.tif 000008
【図７】
2004147470.tif 000009
【図８】
2004147470.tif 000010